(57)【要約】      （修正有）【課題】パチンコ島に設置した取付け装置によるパチンコ台の取付けにおいて、繰り返して行われる台枠の取付け操作における装置の止着個所の弛みを無くし、パチンコ台の取付け不良を防止できる取付け装置を提供する。【解決手段】パチンコ台の台枠の下部板を設置区画を構成する下架板に取付ける台枠の取付け装置であり、下架板に止着する止着穴を備えた本体部と、この本体部に設けられ下架板上に導入された台枠の下部板を上方より押圧して固定する押圧取付け手段とで構成した台枠の取付け装置において、押圧取付け手段１５の下方に導入された台枠の下部板の下面に臨むようにして本体部に固着もしくは取外し自在として弛み防止板１３を設けた。弛み防止板は、本体部との取付け個所より延長した先端部を下方に曲折して喰い込み部３５を形成し、食い込み部を上方より打撃して下架板に喰い込むようにした。【選択図】図６
0003194752.tif 000002
【実用新案登録請求の範囲】
【請求項１】
パチンコ島のパチンコ台の設置区画にパチンコ台を取付けるにあたり、
パチンコ台の台枠の下部板を設置区画を構成する下架板に取付ける台枠の取付け装置であり、
下架板に止着する止着穴を備えた本体部と、
この本体部に設けられ下架板上に導入された台枠の下部板を上方より押圧して固定する押圧取付け手段とで構成した台枠の取付け装置において、
押圧取付け手段の下方に導入された台枠の下部板の下面に臨むようにして本体部に固着もしくは取外し自在として弛み防止板を設けたことを特徴とするパチンコ台の台枠の取付け装置。
【請求項２】
前記弛み防止板は、本体部との取付け個所より延長した先端方向に弾機的に降下するように形成して、
該先端部が下架板を上方より弾機的に押圧するようにしたことを特徴とする請求項１記載のパチンコ台の台枠の取付け装置。
【請求項３】
前記弛み防止板は、本体部との取付け個所より延長した先端部を下方に曲折して喰い込み部を形成し、
該食い込み部を上方より打撃して下架板に喰い込むようにしたことを特徴とする請求項１と請求項２記載のパチンコ台の台枠の取り付け装置。
【請求項４】
前記弛み防止板は、本体部に設けた押圧取付け手段の下方で、平面より視て該押圧取付け手段を忌避した個所に喰い込み部を設けて上方より打撃可能としたことを特徴とする請求項１から請求項３記載のパチンコ台の台枠の取付け装置。
【請求項５】
前記喰い込み部は、曲折個所の幅を本体部との取付け個所よりテーパー状に狭くしたことを特徴とする請求項１から請求項４記載のパチンコ台の台枠の取付け装置。
【請求項６】
前記弛み防止板は、本体部との取付け部に止着穴を形成するとともに、該取付け部を本体部の止着穴の上面に配置し、
双方の止着穴にネジを貫通して本体部と一緒に下架板に止着することを特徴とする請求項１から請求項５記載のパチンコ台の台枠の取付け装置。
【請求項７】
前記弛み防止板は、押圧取付け手段の左右両側に止着穴を形成した本体部への取付けにおいて、
止着穴を備えた取付け部を押圧取付け手段を忌避した馬蹄形として、この取付け部を本体部の左右の止着穴の上面に配置し、
双方の止着穴にネジを貫通して本体部と一緒に下架板に止着することを特徴とする請求項１から請求項６記載のパチンコ台の台枠の取り付け装置。
【請求項８】
前記弛み防止板は、上面に押圧取付け手段を備えるとともにこの押圧取り付け手段の左右両側に止着穴を形成した板状の本体部への取付けにおいて、
先端部が下架板上に導入される台枠の下部板の下面に臨むようにして本体部の下面に固着したことを特徴とする請求項１から請求項５記載のパチンコ台の台枠の取付け装置。
【考案の詳細な説明】
【技術分野】
【０００１】  この考案はパチンコ台をパチンコ島に取付ける装置に関し、特に台枠の下部板を取付ける下部取付け装置に関する。
【背景技術】
【０００２】  パチンコ台をパチンコ島に取付ける場合、台枠をパチンコ島に取付けた後に、この台枠にパチンコ台を開閉自在に取付けるものであるが、この台枠の取付けを専用の取付け装置によって行う場合、方形状の台枠の上部板と下部板が取付けられるように、パチンコ島の当該個所に上部と下部の取付け装置が止着されている。【０００３】  上記の取付け装置は木製のパチンコ島にビスで止着されているものであり、台枠の取付け操作で装置の止着個所が弛む方向に負荷が掛かるため、操作の繰り返しで台枠の取付け状態が不完全となり結果として、パチンコ台にガタ付きやカギがかかりにくい等の取付け不良が生じる原因となっている。【０００４】  この問題点を解決するために、上部の取付け装置はパチンコ島の上架板にビスを貫通して上架板上に設けたナットと螺着して上下よりで挟むようにして止着することで弛みを解消しているが、他方、下部の取付け装置はパチンコ島の下架板が島の下部構造と一体となっているので上記のような取付けができない。【０００５】  パチンコ台の台枠の下部取付装置としては、以下で示した特許文献１と特許文献２が代表的な物であり、従来は前記の問題点を抱えたままで使用に供されていた。
【先行技術文献】
【特許文献】
【０００６】
【特許文献１】特開２０１３−４８８７２号
【特許文献２】特許第４９１０１５４号
【考案の概要】
【考案が解決しようとする課題】
【０００７】  特許文献１は、台枠の下部取付け装置が下架板に止着する本体部と、この本体部に設けられパチンコ島の下架板上に導入された台枠の下部板を上方より押圧して固定する押さえ螺子よりなる押圧取付け手段とで構成したものであり、本体側に設けたナットに螺合した押さえ螺子を回し、この押さえ螺子の先端で台枠の下部板を上方より押圧して取付けるようにしている。【０００８】  従って、上記の取付け装置では、押さえ螺子をねじ込む都度、即ち、台枠の取付けの都度に本体の止着個所が持ち上がり前述の弛みが発生する。【０００９】  特許文献２は、上記の押圧取付け手段が、トグルクランプを利用したレバー操作で行なうようにしている。【００１０】  上記の場合も特許文献１と同様に、レバーの押し下げで行なわれる台枠の取付けの都度に、レバーの支点側、即ち、本体の台枠方向の止着個所に前述同様の持ち上がる力が生じて該個所に弛みが発生する。【００１１】  本考案は、上記事情に鑑みてなされたものであって、繰り返して行なわれる台枠の取付け取外し操作において、取付け個所が弛むことが無いようにして、結果としてパチンコ台の取付け不良を解消することを目的としている。
【課題を解決するための手段】
【００１２】    前記課題を解決するため、この考案のパチンコ台の台枠の取付け装置は、パチンコ島のパチンコ台の設置区画にパチンコ台を取付けるにあたり、パチンコ台の台枠の下部板を設置区画を構成する下架板に取付ける台枠の取付け装置であり、下架板に止着する止着穴を備えた本体部と、この本体部に設けられ下架板上に導入された台枠の下部板を上方より押圧して固定する押圧取付け手段とで構成した台枠の取り付け装置において、押圧取付け手段の下方に導入された台枠の下部板の下面に臨むようにして本体部に固着もしくは取外し自在として弛み防止板を設けたことを特徴とする。【００１３】  前記弛み防止板は、本体部の取付け個所より延長した先端方向に弾機的に降下するように形成して、該先端部が下架板を上方より弾機的に押圧するようにしたことを特徴とする。【００１４】  前記弛み防止板は、本体部との取付け個所より延長した先端部を下方に曲折して喰い込み部を形成し、該食い込み部を上方より打撃して下架板に喰い込むようにしたことを特徴とする。【００１５】  前記弛み防止板は、本体部に設けた押圧取付け手段の下方で、平面より視て該押圧取付け手段を忌避した個所に喰い込み部を設けて上方より打撃可能としたことを特徴とする。【００１６】  前記喰い込み部は、曲折個所の幅を本体部の取付け個所よりテーパー状に狭くしたことを特徴とする。【００１７】  前記弛み防止板は、本体部との取付け部に止着穴を形成するとともに、該取付け部を本体部の止着穴の上面に配置し、
双方の止着穴にネジを貫通して本体部と一緒に下架板に止着することを特徴とする。【００１８】  前記弛み防止板は、押圧取付け手段の左右両側に止着穴を形成した本体部への取付けにおいて、この取付け部を押圧取付け手段を忌避した馬蹄形として押圧取付け手段の左右に止着穴を配置するとともに、取付け部を本体部の左右の止着穴の上面に配置し、双方の止着穴にネジを貫通して本体部と一緒に下架板に止着することを特徴とする。【００１９】  前記弛み防止板は、上面に押圧取付け手段を備えるとともに、この押圧取り付け手段の左右両側に止着穴を形成した板状の本体部への取付けにおいて、先端部が下架板上に導入される台枠の下部板の下面に臨むようにして本体部の下面に固着したことを特徴とする。
【考案の効果】
【００２０】  本考案は、上記のように構成したので、台枠の下部板の取付けにおいて該取付け装置の止着個所が弛んでガタ着くことが無いため、パチンコ台の取付け不良が解消される。【００２１】  また、上記を実現するために、下部取付け装置の本体部に弛み防止板を固着もしくは取外し自在として設けたので、特に後者の場合は台枠の出し入れにより損傷しても簡易に取替えができる。【００２２】  また、弛み防止板は先端方向に弾機的に降下するように形成したので、先端部がパチンコ島の下架板の上面に押圧密着して持ち上がることがないので、台枠の導入時に下部板との衝突が防止される。【００２３】  また、弛み防止板の先端部を下方に曲折して喰い込み部を形成し、この喰い込み部をパチンコ島の下架板に打ち込んだため先端が持ち上がることが無く、台枠の導入において下部板は喰い込み部の曲折個所の案内でスムーズに導入される。【００２４】  また、弛み防止板の喰い込み部を、平面より視て押圧取付け手段を避けた個所に設けたので、喰い込み部の取付けにあたり真上から打ち込むことができ工事が簡易に行える。【００２５】  また、喰い込み部の巾を本体部との取付け個所よりテーパー状に狭くしたので、台枠は導入時において弛み防止板の喰い込み部と接触する領域が少なく、さらにテーパー状の案内で導入がスムーズに行なえる。【００２６】  また、弛み防止板の本体部への取付けが、本体部の止着と一緒に行なえるようにしたので、止着工事が合理的に行なえる。【００２７】  また、弛み防止板の取付け部を馬蹄形として本体部の左右両側で本体部と一緒に止着するようにしたので、押圧取り付け手段の操作における本体部の持ち上がり力に対して左右均等に持ち上がりを抗することとなり、弛み止め効果が大となる。【００２８】  また、弛み防止板を本体部の下面に固着したので、押圧取付け手段の操作において、本体部の持ち上がり力に対して板状の面全体で持ち上がりを抗することとなり弛み止め効果が大きく、また装置の合理化が計られる。
【図面の簡単な説明】
【００２９】
【図１】この考案のパチンコ台の台枠の取付け装置のパチンコ島への取り付け位置、およびパチンコ台枠とパチンコ台の取付け状態を示すパチンコ島の正面図。
【図２】パチンコ台の取付け状態を示す、図１の２−２線に沿う断面図。
【図３】パチンコ台枠の下部板の取付け状態を示す図２の要部拡大図。
【図４】パチンコ台枠の下部取付け装置の分解斜視図。
【図５】パチンコ台枠の下部取付け装置の断面図。
【図６】弛み防止板の取付け状態を示す斜視図
【図７】図６の弛み防止板の断面図
【図８】弛み防止板の他の実施例を示す断面図
【図９】弛み防止板の他の実施例を示す斜視図
【図１０】図９の弛み防止板の取付け状態を示す平面図
【図１１】図８の弛み防止板の斜視図
【図１２】図１１の弛み防止板の取付け状態を示す断面図
【図１３】図６の弛み防止板の取付け状態を示す断面図
【図１４】下部取付け装置および弛み防止板の他の実施例を示す断面図
【図１５】図１４の平面図
【図１６】弛み防止板の他の取付け状態を示す断面図
【図１７】弛み防止板の本体部との固着状態を示す切り欠き斜視図
【考案を実施するための形態】
【００３０】  以下、図１〜図１７を参照し、この実施形態を通じて本考案を詳説する。
【００３１】  図１はパチンコ台１の台枠２をパチンコ島３へ取付けた状態を例示している。パチンコ島３は上架板４と下架板５及びこの縦桟６とで、パチンコ台１が設置される設置区画７が形成されている。縦桟６は図に示したように玉の供給機８で代用される場合もある。
上記の設置区画７に台枠２を取り付ける場合、先ず台枠２を設置区画７内の下架板５上に導入して設置区画内７に配置し、予めパチンコ島３の上架板４と下架板５に装着された上部取付け装置９と下部取付け装置１０で台枠２の上部板１１および下部板１２を取付けて完了する。
【００３２】  この考案の台枠の取り付け装置は、上述の下部取付け装置１０が台枠２の取付けおよび取外し操作で下架板５との止着個所が弛まないように弛み防止板１３を設けたものである。
【００３３】  下部取付け装置１０は図２から図６で示した、台枠２の取付け手段を螺子による押圧手段とした１０ａと、図１４および図１５で示したトグルクランプによるレバー操作で行なう１０ｂの２種類の装置が利用されており、この両方に対して弛み防止板１３を設けている。
【００３４】  下部取付け装置１０ａは特開２０１３−４８８７２号と同様であり図４および図５で示したように、パチンコ島３の下架板５に止着する本体部１４と、この本体部１４に設けた押圧取付け手段１５と弛み防止板１３とで構成している。
本体部１４には止着穴１７を備えた止着部１８と、上面に形成した透穴２０に連通して固着したナット２１および、このナット２１に下側から螺合し上下端に押圧部２２および操作部２３を備えた押圧ボルト２４とで構成した押圧取付け手段１５とが設けられている。
２６は位置決めボルトであり、スペーサー２７を介してネジ２８で本体部１４に止着したネジ穴２９を有するナット３０に螺着して台枠２の前後位置を調節する。
【００３５】  上記の下部取付け装置１０ａは図３で示したように、パチンコ島３の下架板５上にビス３１で止着穴１７を介して止着部１８を止着し、台枠２の取付けにおいて、パチンコ島３の下架板５上に台枠２の下部板１２が導入されて位置決めボルト２６で前後位置が決まると、押圧ボルト２４の操作部２３の回転操作で押圧部２２が下部板１２を押圧して台枠２の取付けが完了する。
【００３６】  上記の台枠２の取付けにおける押圧ボルト２４の押し下げで、本体部１４は止着部１８を支点として持ち上がる力が作用し、特に前側の止着個所が持ち上がって弛みが発生する。この取付け操作が繰り返し行われることで本体部１４が取付け不良となる。
【００３７】  弛み防止板１３は、本体部１４との取付け部３３よりやや折り曲げて降下延長した先端部３４を直角に折り曲げて喰い込み部３５を形成している。
取付け部３３は、本体部１４の押圧取付け手段１５を避けて馬蹄形として、本体部１４の止着部１８に対応した左右に設け、止着部１８の止着穴１７と同様のピッチで止着穴３６が形成されている。この弛み防止板１３は下部取付け装置１０ａの取付け時にビス３１で一緒に下架板５に取付けるようにしている。
【００３８】  弛み防止板１３は取付け部３３の前側を下部取付け装置１０ａの止着部１８の厚み分を下方に折り曲げ、この取付け部３３を本体部１４の止着部１８の上に配置した時に下端部３７が下架板５に接地するようにしている、
上記において図５で示したように本体部１４の止着部１８の上に弛み防止板１３の取付け部３３を重ね、ビス３１で止着穴３６、１７を貫通して下架板５に止着する。
次いで、弛み防止板１３の食い込み部３５を上方より打撃して食い込み部３５を下架板５に喰い込ませる。
【００３９】  喰い込み部３５の打撃にあたり上方の押圧取付け手段１５が邪魔になるため、押圧取付け手段１５の下方に角材等を設けて間接的に打撃することになり、また、図１６で示したように喰い込み部３５を押圧取付け手段１５の前方とすれば直接的に打撃可能となる。
上記の弛み防止板１３は薄板のバネ材で構成して図７で示したように、取付部３３より下向きにやや折り曲げて延長した先端部３４の食い込み部３５が下架板５を弾機的に押圧するようにしている。
【００４０】  また、図１３で示したように、台枠２の下部板１２の下架板５上への導入の際に、下部板１２の下端部は喰い込み部３５の曲折角３５ａに当たっても、この曲折角３５ａの案内でスムーズに導入される。
また、喰い込み部３５の巾は取付け部３３の巾よりテーパー状３７に狭くしているので、上記と同様に下架板５上に導入される台枠２の下部板１２はこのテーパー状３７の案内でスムーズに導入される。
図８と図１１および図１２で示した弛み防止板１３は、先端部を取付け部３３と同じ巾で下側にやや降下し、台枠２の下部板１２の下面との接地面積を広くして、本体部１４の持ち上がりの防止効果を大としている。
【００４１】  図１７は弛み防止板１３の他の実施例を示し、本体部１４の止着部１８上に設けた取付け部３３には溶接穴３８を穿設し、この溶接穴３８より下方に覗く取付け部３３を溶接して本体部１４と弛み防止板１３を一体に固着している。下架板５への取付けにおいては、前述と同様にビス３１で止着して行なう。
【００４２】  図９および図１０は弛み防止板１３の他の実施例を示し、取付け部３３より延長した先端部３４の左右端部に食い込み部３５を形成し，この中央個所には凹部３９を形成して、喰い込み部３５を取付けるにあたり押圧取付け手段１５が邪魔にならないようにして打撃できるようにしている。
【００４３】  図１４および図１５で示した下部取付け装置１０ｂは特許４９１０１５４号と同様であり、パチンコ島３の下架板５に止着する板状の本体部４０と、この本体部４０に設けた押圧取付け手段１５と弛み防止板１３とで構成している。
本体部４０は止着穴４２と溶接穴４３が形成され、押圧取り付け手段１５は本体部１４の上面に固着した支持台４４に先端部に押圧部４５を枢着したリンク４６を枢着し、このリンク４６にはレバー４７が同様に枢着し、このレバー４７は下側をコイルバネ４８を介して押圧強度を調節する調節ボルト４９に枢着して構成されている。
調節ボルト４９は本体部４０に固着したナット５０との螺合調節によって押圧部４５の押圧力を調節する。
【００４４】  弛み防止板１３は本体部４０の下側に設け、溶接穴４３を介して本体部４０と一体として固着する。弛み防止板１３を備えた上記の下部取り付け装置１０ｂは、下架板５上に配置して止着穴４２を介してビス５１で下架板５に止着される。
この下部取付け装置１０ｂではレバー４７を押し下げて台枠２が取付けられるが、この時、本体部４０の前側の止着個所に持ち上がる力が作用する。
【００４５】  台枠２の取付けにおいては、下部板１２を下架板５及び弛み防止板１３上に導入して、下部取付け装置１０ａでは押圧ボルト２４で下部板１２を押圧固定し、下部取付け装置１０ｂではレバー４７を押し下げて押圧部４５で押圧固定する。
上記の押圧取付け手段１５の操作によって、本体部１４と４０には持ち上がる力が作用して止着個所に負荷がかかるが、本体部１４と４０に設けた弛み防止板１３は台枠２の下部板１２と一緒に押下げられているので、上記の本体部１４と４０の持ち上がり力は相殺されて下架板５との止着個所には負荷がかからず、よって下部取付け装置１０ａ、１０ｂは台枠２の取付けの繰り返しにおいても弛んでガタ付くことがない。
【００４６】
【符号の説明】
【００４７】    １・・・パチンコ台
２・・・台枠
３・・・パチンコ島
４・・・上架板
５・・・下架板
７・・・設置区画
１０ａ・・・下部取付け装置
１０ｂ・・・下部取付け装置
１１・・・上部板
１２・・・下部板
１３・・・弛み防止板
１４・・・本体部
１５・・・押圧取付け手段
１７・・・止着穴
１８・・・止着部
３１・・・ビス
３３・・・取付け部
３４・・・先端部
３５・・・喰い込み部
３６・・・止着穴
３７・・・テーパー状
４０・・・本体部
【図１】
0003194752.tif 000003
【図２】
0003194752.tif 000004
【図３】
0003194752.tif 000005
【図４】
0003194752.tif 000006
【図５】
0003194752.tif 000007
【図６】
0003194752.tif 000008
【図７】
0003194752.tif 000009
【図８】
0003194752.tif 000010
【図９】
0003194752.tif 000011
【図１０】
0003194752.tif 000012
【図１１】
0003194752.tif 000013
【図１２】
0003194752.tif 000014
【図１３】
0003194752.tif 000015
【図１４】
0003194752.tif 000016
【図１５】
0003194752.tif 000017
【図１６】
0003194752.tif 000018
【図１７】
0003194752.tif 000019